【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
間隔を有して対向配置された一対の光透過性基板と、
前記一対の光透過性基板を貼り合わせて、前記一対の光透過性基板の間に封止空間を区画するシール材と、
画像を光学的に表示するために前記封止空間に配置された複数のシャッタと、
前記封止空間に充填された光学等方性を有する液体と、
前記一対の光透過性基板の少なくとも一方と前記液体との間に配置された光学膜と、
を有し、
前記光学膜の一方の面は、前記液体に接触し、
前記光学膜の他方の面は、前記一対の光透過性基板の一方に接触し、
前記光学膜の屈折率は、前記光学膜と接触する前記一方の光透過性基板の屈折率とは異なることを特徴とする表示装置。
【請求項２】
請求項１に記載された表示装置において、
前記光学膜は、単層からなることを特徴とする表示装置。
【請求項３】
請求項１に記載された表示装置において、
前記光学膜は、複数層からなることを特徴とする表示装置。
【請求項４】
請求項１に記載された表示装置において、
前記光学膜の前記屈折率は、前記光学膜と接触する前記一方の光透過性基板の前記屈折率よりも大きく、空気及び前記液体の屈折率よりも大きいことを特徴とする表示装置。
【請求項５】
請求項１に記載された表示装置において、
前記光学膜は、下面に前記一方の光透過性基板が隣接するように配置され、上面に自然光を投射したときに、前記上面で反射して進行する反射光と、前記光学膜に入射して下面で反射して前記上面から出射する反射光とが干渉することを特徴とする表示装置。
【請求項６】
請求項５に記載された表示装置において、
前記光学膜は、上面に前記一方の光透過性基板が隣接するように配置され、前記上面に自然光を投射したときに、前記上面で反射して進行する反射光と、前記光学膜に入射して下面で反射して前記上面から出射する反射光とが干渉することを特徴とする表示装置。
【請求項７】
請求項１に記載された表示装置において、
前記光学膜は、第１光学膜と第２光学膜を含み、
前記第１光学膜及び前記第２光学膜のそれぞれは、上面及び下面を有し、
前記第１光学膜の前記下面に一方の前記光透過性基板が隣接し、
前記第２光学膜の前記上面に他方の前記光透過性基板が隣接し、
前記第１光学膜及び前記第２光学膜のそれぞれの前記上面に自然光を投射したときに、前記第１光学膜の前記上面で反射して進行する反射光と、前記第１光学膜に入射して前記第１光学膜の下面で反射して前記第１光学膜の前記上面から出射する反射光とが干渉し、前記第２光学膜の前記上面で反射して進行する反射光と、前記第２光学膜に入射して前記第２光学膜の下面で反射して前記第２光学膜の前記上面から出射する反射光とが干渉することを特徴とする表示装置。
【請求項８】
請求項７に記載された表示装置において、
前記光学膜の前記上面に隣接する物質の屈折率をｎ０、前記光学膜の屈折率をｎ１、前記光学膜と接触する前記一方の光透過性基板の前記屈折率をｎ２とすると、
ｎ０＜ｎ１、且つｎ２＜ｎ１
であり、
前記自然光は、波長及び前記光学膜への入射角度が異なる光線群からなり、
前記自然光に含まれる波長λ０の光線群は、前記上面で反射する第１光線と、前記下面で反射して前記上面から出射する第２光線と、を含み、
前記第１光線と前記第２光線との光路差が、前記波長λ０の１／２の奇数倍であるときに、前記第１光線及び前記第２光線の反射率は、
Ｒmax＝（（ｎ０ｎ２−ｎ１２）／（ｎ０ｎ２＋ｎ１２））２
で求められる最大値を示し、
前記第１光線と前記第２光線との光路差が、前記波長λ０の整数倍であるときに、前記第１光線及び前記第２光線の反射率は、
Ｒmin＝（（ｎ０−ｎ２）／（ｎ０＋ｎ２））２
で求められる最小値を示し、
前記自然光が前記液体を通過したときの前記自然光の反射率は、前記最小値及び前記最大値を求める前記式のｎ０に前記液体の屈折率を代入して得られる最小反射率ＲLIQUIDminから最大反射率ＲLIQUIDmaxの範囲であり、
前記液体が前記光学膜上に気泡を含有し、前記自然光が前記気泡を通過したときの前記自然光の反射率は、前記最小値及び前記最大値を求める前記式のｎ０に空気の屈折率を代入して得られる最小反射率ＲAirminから最大反射率ＲAirmaxの範囲であり、
前記最小反射率ＲAirminと前記最大反射率ＲAirmaxの平均値及び前記最小反射率ＲLIQUIDminと前記最大反射率ＲLIQUIDmaxの平均値の一方は、他方の２倍よりも大きいことを特徴とする表示装置。
【請求項９】
請求項１に記載された表示装置において、
前記光学膜の前記下面に隣接する物質の屈折率をｎ０、前記光学膜の屈折率をｎ１、前記光学膜と接触する前記一方の光透過性基板の前記屈折率をｎ２とすると、
ｎ０＜ｎ１、且つｎ２＜ｎ１
であり、
前記自然光は、波長及び前記光学膜への入射角度が異なる光線群からなり、
前記自然光に含まれる波長λ０の光線群は、前記上面で反射する第１光線と、前記下面で反射して前記上面から出射する第２光線と、を含み、
前記第１光線と前記第２光線との光路差が、前記波長λ０の１／２の奇数倍であるときに、前記第１光線及び前記第２光線の反射率は、
Ｒmax＝（（ｎ２ｎ０−ｎ１２）／（ｎ２ｎ０＋ｎ１２））２
で求められる最大値を示し、
前記第１光線と前記第２光線との光路差が、前記波長λ０の整数倍であるときに、前記第１光線及び前記第２光線の反射率は、
Ｒmin＝（（ｎ２−ｎ０）／（ｎ２＋ｎ０））２
で求められる最小値を示し、
前記自然光が前記液体の上方で前記上面及び前記下面に反射したときの前記自然光の反射率は、前記最小値及び前記最大値を求める前記式のｎ０に前記液体の屈折率を代入して得られる最小反射率ＲLIQUIDminから最大反射率ＲLIQUIDmaxの範囲であり、
前記液体が前記光学膜上に気泡を含有し、前記自然光が前記気泡の上方で前記上面及び前記下面に反射したときの前記自然光の反射率は、前記最小値及び前記最大値を求める前記式のｎ０に空気の屈折率を代入して得られる最小反射率ＲAirminから最大反射率ＲAirmaxの範囲であり、
前記最小反射率ＲAirminと前記最大反射率ＲAirmaxの平均値及び前記最小反射率ＲLIQUIDminと前記最大反射率ＲLIQUIDmaxの平均値の一方は、他方の２倍よりも大きいことを特徴とする表示装置。
【請求項１０】
請求項９に記載された表示装置において、
前記第１光学膜の前記上面及び前記第２光学膜の前記下面に隣接する物質の屈折率をｎ０、前記第１光学膜の屈折率をｎ１、前記第１光学膜と接触する一方の前記光透過性基板の前記屈折率をｎ２とすると、
ｎ０＜ｎ１、且つｎ２＜ｎ１
であり、
前記第２光学膜の屈折率をｎ１２、前記第２光学膜と接触する他方の前記光透過性基板の前記屈折率をｎ２２とすると、
ｎ０＜ｎ１２、且つｎ２２＜ｎ１２
であり、
前記自然光は、波長並びに前記第１光学膜及び前記第２光学膜への入射角度が異なる光線群からなり、
前記自然光に含まれる波長λ０の光線群は、前記第１光学膜の前記上面で反射する第１光線と、前記第１光学膜の前記下面で反射して前記第１光学膜の前記上面から出射する第２光線と、前記第２光学膜の前記上面で反射する第３光線と、前記第２光学膜の前記下面で反射して前記上面から出射する第４光線と、を含み、
前記第１光線と前記第２光線との光路差が、前記波長λ０の１／２の奇数倍であるときに、前記第１光学膜の前記上面及び前記下面での前記第１光線及び前記第２光線の反射率は、
Ｒmax＝（（ｎ０ｎ２−ｎ１２）／（ｎ０ｎ２＋ｎ１２））２
で求められる第１最大値を示し、
前記第１光線と前記第２光線との光路差が、前記波長λ０の整数倍であるときに、前記第１光学膜の前記上面及び前記下面での前記第１光線及び前記第２光線の反射率は、
Ｒmin＝（（ｎ０−ｎ２）／（ｎ０＋ｎ２））２
で求められる第１最小値を示し、
前記自然光が前記液体を通過したときの前記第１光学膜の前記上面及び前記下面での前記自然光の反射率は、前記第１最小値及び前記第１最大値を求める前記式のｎ０に前記液体の屈折率を代入して得られる最小反射率ＲLIQUIDminから最大反射率ＲLIQUIDmaxの範囲であり、
前記液体が前記第１光学膜上に気泡を含有し、前記自然光が前記気泡を通過したときの前記第１光学膜の前記上面及び前記下面での前記自然光の反射率は、前記第１最小値及び前記第１最大値を求める前記式のｎ０に空気の屈折率を代入して得られる最小反射率ＲAirminから最大反射率ＲAirmaxの範囲であり、
最小反射率ＲAirminと最大反射率ＲAirmaxの平均値は、最小反射率ＲLIQUIDminと最大反射率ＲLIQUIDmaxの平均値の２倍よりも大きく、
前記第３光線と前記第４光線との光路差が、前記波長λ０の１／２の奇数倍であるときに、前記第２光学膜の前記上面及び前記下面での前記第３光線及び前記第４光線の反射率は、
Ｒmax2＝（（ｎ２２ｎ０−ｎ１２２）／（ｎ２２ｎ０＋ｎ１２２））２
で求められる第２最大値を示し、
前記第３光線と前記第４光線との光路差が、前記波長λ０の整数倍であるときに、前記第２光学膜の前記上面及び前記下面での前記第３光線及び前記第４光線の反射率は、
Ｒmin2＝（（ｎ２２−ｎ０）／（ｎ２２＋ｎ０））２
で求められる第２最小値を示し、
前記自然光が前記液体の上方で反射したときの前記第２光学膜の前記上面及び前記下面での前記自然光の反射率は、前記第２最小値及び前記第２最大値を求める前記式のｎ０に空気の屈折率を代入して得られる最小反射率ＲLIQUIDmin2から最大反射率ＲLIQUIDmax2の範囲であり、
前記自然光が前記気泡の上方で反射したときの前記第２光学膜の前記上面及び前記下面での前記自然光の反射率は、前記第２最小値及び前記第２最大値を求める前記式のｎ０に空気の屈折率を代入して得られる最小反射率ＲAirmin2から最大反射率ＲAirmax2の範囲であり、
前記最小反射率ＲAirmin2と前記最大反射率ＲAirmax2の平均値及び前記最小反射率ＲLIQUIDmin2と前記最大反射率ＲLIQUIDmax2の平均値の一方は、他方の２倍よりも大きいことを特徴とする表示装置。
【請求項１１】
請求項１に記載された表示装置において、
前記シール材は、前記一対の光透過性基板の周縁部を避けて配置され、
前記一対の光透過性基板の前記周縁部は、前記シール材から外側に突出することを特徴とする表示装置。
【請求項１２】
請求項１１に記載された表示装置において、
前記シール材は、前記一対の光透過性基板の前記周縁部の全体を避けて配置され、
前記一対の光透過性基板の前記周縁部の全体が、前記シール材から外側に突出することを特徴とする表示装置。
【請求項１３】
請求項１１に記載された表示装置において、
前記シール材は、前記一対の光透過性基板の前記周縁部の第１部分を避けて、前記一対の光透過性基板の前記周縁部の第２部分を通るように配置され、
前記一対の光透過性基板の前記周縁部の前記第１部分が、前記シール材から外側に突出することを特徴とする表示装置。
【請求項１４】
請求項１に記載された表示装置において、
前記一対の光透過性基板はそれぞれ矩形の平面形状を有し、
前記シール材は、前記一対の光透過性基板の角部を避けて配置され、
前記一対の光透過性基板の前記角部が、前記シール材から外側に突出することを特徴とする表示装置。
【請求項１５】
請求項１に記載された表示装置において、
前記光学膜は、前記シール材に囲まれた領域における少なくとも前記シール材に隣接する部分に配置されていることを特徴とする表示装置。
【請求項１６】
請求項１５に記載された表示装置において、
前記光学膜は、前記シール材に囲まれた領域の全体にわたって配置されていることを特徴とする表示装置。
【請求項１７】
請求項１５に記載された表示装置において、
前記光学膜は、前記シール材に囲まれた領域の外側に至るように配置されていることを特徴とする表示装置。
【請求項１８】
請求項１に記載された表示装置において、
前記光学膜は、ＺｎＯ、ＺｎＣｒＯ４及びＡＬ２Ｏ３からなる群より選択される一つの材料から形成されていることを特徴とする表示装置。
【請求項１９】
請求項１に記載された表示装置において、
バックライトをさらに有し、
前記複数のシャッタは少なくとも一つの開口を有し、
前記複数のシャッタは機械的に可動であると共に、前記バックライトからの光の透過及び遮断を制御することを特徴とする表示装置。